(57)【要約】【課題】  従来のコーヒーバッグは袋の容量、サイズ等は同様であるが、カップの口径の大小に適応させ袋部をカップ上に支える支持体をカップ口径より大きく構成することで使用する厚紙の面積量も多くコスト高の原因でもあった。【解決手段】  本発明は、この様な従来の課題を解決するため、支持体の構造を単純にして組み立てを必要とせず又、袋部全体の大きさと同程度で構成する支持体型として使用する厚紙等の面積量を少なくし単純構成にして低コスト化を計り、又その使用性も手軽にする。【選択図】      図１
2006015105.tif 000002
【特許請求の範囲】
【請求項１】
側壁支持体１４の右側壁５と左側壁６がカップ中央側が開き後方のカップの縁側が狭く構えて後側壁４側が巾狭く前側壁３側がカップ口径内でセットした時に前方側にせり出し湾曲させて配置した前側壁３であり、この前側壁３側の右側壁５と左側壁６の下部に設けた左右の外支持片８がカップ口部を左右から挟みとらえる時にカップ口径の大小により左右の外支持片８の左右間の巾が変わることを後側壁４の左右に設けた折り曲げ部１３を機軸に右側壁５と左側壁６が前側壁３側の開き巾を変化させるためこの開き巾の変化を前側壁３がその前方へのせり出し量を変えて対応し上方口１の口部形を片側に寄せたカップの口部形にあわせ変化させて左右の外支持片８の巾を変えセットする事を特徴としたドリップ抽出バッグ。
【請求項２】
側壁支持体１４の前側壁３がカップにセットした時に前方に大きくせり出して湾曲して構えており後側壁４の巾が狭く左右の右側壁５と左側壁６が前側壁３側に大きく開き構えて右側壁５と左側壁６の下方で前側壁３側に設けた左右の外支持片８の先端部２１がカップ口部を左右の外側から挟み込みセットした時に前方にせり出し湾曲して構えた前側壁３が縦方向にも大きな巾を有した大型の前側壁３であるため平たく元に戻ろうとする大きな作用が生じカップの口径に関係なく常に一定の力で右側壁５と左側壁６の前側壁３側をカップ中心方向に引き寄せて左右の外支持片８でカップ口部を挟み込みカップ口部を常に遊びなくとらえ固定させてセットする事を特徴としたドリップ抽出バッグ。
【請求項３】
カップの片側に寄せてセットした外壁支持体１４と寄せた側のカップ口部の内壁面との間にスペースを生じさせずカップ口部内の片側に全体を寄せ前側壁３前方に大きなスペースを確保するため袋２の上方口１の周囲を形成する側壁支持体１４の後側壁４の下部に伸び出た内壁支持体１５がカップ内壁をとらえ後側壁４の下部から左右外方向に短く伸び出た外支持片９がカップ外壁部をとらえた時に平たく伸ばされた後側壁４の折り目１１が元に戻ろうとする復元力で内壁支持部１５と左右の外支持片９の間で遊びなくカップ口部を挟み固定セットしており前側壁３側の左右の外支持片８側では右側壁５と左側壁６の各下部に設けた内支持片７でカップ内壁面をとらえ左右の外支持片８がカップ外壁をとらえカップ口部を左右から挟み込み固定セットしており側壁支持体１４の左右に設けた右側壁５と左側壁６と後側壁４の３辺とカップ内壁との間にスペース生じさせず高い固定性を確保しながらカップの片側に全体を寄せ前側壁３の前方に大きなスペースを空けた事を特徴とするドリップ抽出バッグ。
【請求項４】
側壁支持体１４の後側壁４が巾狭く前側壁３側が巾広く右側壁５と左側壁６を左右に配置して構成した側壁支持体１４を後側壁４側をカップ口部の縁に寄せ前側壁３側をカップ中央側に向けカップ口部の片側に寄せセットした時に側壁支持体１４内の袋２の重心は上方口１上に於いて前側壁３側にあるため側壁支持体１４全体がカップ中央側に転倒しやすくなる事を前側壁３側に開いて構えた右側壁５と左側壁６の下部の前側壁３側に設けた左右の外支持片８をカップにセットした時に前側壁３の前方に大きく伸び出て支えるため右側壁５と左側壁６の壁面に添って前側壁３の前方側に大きく伸び出た係止アーム２３を設けその先端に外支持片８を設けカップの口部をとらえ側壁支持体１４の前側壁３側へ転倒する事を防ぎ安定させている事を特徴としたドリップ抽出バッグ。
【請求項５】
側壁支持体１４の後側壁４の中央の折り目１１を平たく伸ばしその左右に設けた折り曲げ部１３から前側壁３側に開き構えた左右の右側壁５と左側壁６が前方に大きくせり出して配置した前側壁３とでカップ口径の大小により左右の外支持片８の間の巾を変える時に折り目１１を平たく伸ばしその左右に設けた折り曲げ部１３を機軸に右側壁５と左側壁６が前側壁３側に開き角度を変えられる様にして折り目１１を平たく伸ばし左右の折り曲げ部１３の間に後側壁４を構成している事で上方口１上に於いて折り目１１部が鋭角を形成しない様にした事を特徴としたドリップ抽出バッグ。
【請求項６】
後側壁４の左右に折り曲げ部１３を設けてその左右に右側壁５と左側壁６を配置して後側壁４の下方に伸び出た内壁支持部１５でカップ内壁をとらえ後側壁４の下部で左右外方向に伸び出た外支持片９でカップ外壁をとらえ折り目１１を平たく伸ばし後側壁４を形成しながらカップに固定セットしている事を特徴としたドリップ抽出バッグ。
【請求項７】
右側壁５と左側壁６の下部に伸び出た内支持片７がカップ内壁をとらえセットした時に右側壁５と左側壁６の上方が上方口１の中央側に傾く事を防ぎさらに内支持片７の下辺が前側壁３側に設けた外支持片８の凹部１０側に達して伸び上がった傾斜部２２を有してカップにセットする時にこの傾斜部２２がカップ口部をとらえカップ口部を凹部１０に誘導しセットしやすくするとともにセットした時にカップ外に位置する先端部２１がカップ外方向に向き変形する事を防ぐため凹部１０側に伸びた側の内支持片７が支えてからなる形状の内支持片７である事を  特徴としたドリップ抽出バッグ。
【請求項８】
右側壁２６と左側壁２７を左右に構えて後側壁２５側が巾狭く前側壁２４側が巾広く構成した側壁支持体３４であり右側壁２６と左側壁２７の下部には下方に伸び出た内支持片３５を有し前側壁２４側に水平に長く伸び出た係止アーム３６を有しその先端は下方に伸びて前支持片２９を構成しさらに後側壁２５側にも水平に短く伸び出た係止アーム３７を設けており先端が下方に伸びて後支持片２８としている後側壁２５の中央に縦方向に伸びた折り目３１を有しこの後側壁２５の下部には下方に伸び出た内壁支持部３３を有しさらに右側壁２６と左側壁２７との各間にはそれぞれ縦方向に伸びた折り曲げ部３２を左右に設けている事を特徴としたドリップ抽出バッグ。
【発明の詳細な説明】
【技術分野】
【０００１】  本発明はカップ上にセットして使用するレギュラーコーヒー等の使い捨てタイプのドリップ式抽出バッグに関する。
【背景技術】
【０００２】  従来のコーヒーバッグは通水濾過性のシートにより構成した袋内にコーヒー粉を入れ、この袋を防水加工した厚紙等により支持体を構成してカップ上にセットして使用するものである。
【特許文献１】特開２０００−２１１６７０
【特許文献２】特開２００２−２３８７６７
【特許文献３】特開２００４−２４７００
【発明の開示】
【発明が解決しようとする課題】
【０００３】  カップ上にセットして使用するコーヒーバッグの袋の口部形は円形に近いほどコーヒーの抽出にむらが少なく、又口部の中央にお湯を注ぎその位置から袋部のあらゆる方向のフィルター面までの距離が均等である袋形であることも同様に抽出むらを小さくする、この袋をカップ上に位置して支持するための支持体構成によっては袋の口部形が三角型や舟型になり口部形に鋭角部が生じたり、又大型になるケースなどで抽出むらの一因となった。【０００４】  カップ中央部に袋を位置させセットした場合にカップ内の湯面が見えづらくお湯の注ぎ過ぎが生じやすかった。【０００５】  袋をカップ口径の中央に位置させる支持体はカップの最大口径部を中心に支持体を構成させなければならず支持体が大型化して支持体に使用する部材を多く使用しコスト高の一因であった。【０００６】  カップ中央上にセットするタイプは袋部より支持体側が大きくなり袋部と支持体の製作行程が別行程になりさらにこれを一体化する行程も必要になり生産設備が大型化しコスト高の一因でもあった。【０００７】  従来は袋部を形成した支持体の下部から前後左右の水平外側方向に伸び出た係止部を長めにしてカップ口部の外側に伸び出させカップ口径の大小に適応させる方式をとっておりこれにより袋部を構成した筒型の支持体部とカップ口部の外側に伸び出た係止部先端までの大きな係止部全体のサイズとなり、又カップ口部をとらえた係止部の支点と袋部までの距離が長いほど転倒しづらく安定するが固定しないセット法のため前後左右に袋口部の筒型の支持体部がカップ上で動き不安定であった。
【課題を解決するための手段】
【０００８】  そして本発明は上記目的を達成するために通水濾過性を有する柔軟なシートで袋２を構成し、これは上方が開放した上方口を有している、さらにこの上方口１の外壁周囲を支持体で構成したこの側壁支持体１４は上方口１から見て前側壁３側が広く後側壁４側が狭い側壁を配置しており、この前側壁３は縦巾が大く又前方にせり出して湾曲させるため横巾もカップ口径より広く設けているその間には右側壁５と左側壁６を配置しておりその下部にはそれぞれ中央下方に伸び出てカップ内壁をとらえる内支持片７を有しさらに下部から前側壁３側に伸び出て先端部が下方に伸びて構成した外支持片８を有しこれはカップ外に位置してこの外支持片８と内支持片７の間をカップの口部の縁を挟み込む凹部１０としているさらに後側壁４の下部を下方に伸ばしカップ内壁面をとらえる内壁支持部１５を設けておりさらにこの後側壁４の下部から左右水平外側方向に伸び出た短い外支持片９を設けこの左右の先端部１９との間をカップの口部の縁を挟み込む凹部１８としているこの後側壁４は左右に位置する右側壁５と左側壁６の境に縦方向に伸びた折り曲げ部１３を各有しておりさらに後側壁４の中央に縦方向に伸びた側壁支持体１４の折り目１１が位置しこの折り目１１から側壁支持体１４は左右から袋２を挟み込み前側壁３の中央部の合わせ目１２に左右から達して側壁支持体１４は袋２の上方口１側の外壁周囲で一体になり口部周囲を構成している。
【発明の効果】
【０００９】  側壁支持体１４の前側壁３側が広く後側壁４側が狭いため右側壁５と左側壁６の下部に前側壁３側に伸び出て設けた左右の外支持片８が前方に大きく開きカップ中央側で左右の口部をとらえ後側壁４側の係止部ではカップ後方の口部をとらえているためカップの片側に寄せてセットできるためカップ口径内に於いて前側壁３の前方側が大きく空きカップ内の湯面を確認しやすくお湯の注ぎすぎが生じなくなる。【００１０】  カップ中央上全体にセットするタイプの支持体構成のコーヒーバッグに比較して片側に寄せてセットできるため支持体全体が小型化され支持体に使用する部材の面積が少なくて済み低コスト化が計れる。【００１１】  カップの片側に寄せセットする方法により支持体を小型化できるため袋２のサイズと側壁支持体１４のサイズを同一化が可能になり袋部と支持体とを一体形成でき生産工程の減少により生産設備の簡略化が計れ低コスト化になる。【００１２】  右側壁５と左側壁６の間に後部側に狭い後側壁４を設けカップ中央側に広い前側壁３を設けて前方側に大きく開き伸び出て配置された左右の外支持片８は後側壁４の下記に設けた内壁支持部１５がカップ内壁をとらえ左右の外支持片９をカップ口部の外壁をとらえ左右の凹部１８がカップの縁を挟み固定セットした時に左右前方に配置したこの外支持片８がカップ口径の大小に対して前方に大きくせり出し湾曲している前側壁３のせり出し加減により左右の外支持片８の間隔が自在に変化することでカップ口径の大小に対応できる。【００１３】  カップ口径の大小に関係なくセット状態で常に一定の力で湾曲し前側壁３が平たく元に戻ろうとする働きがあり左右に開き配置した左右の外支持片８をカップ中心方向に引き寄せ閉じようとする作用となりカップの縁を外支持片８が強くとらえ安定した高い固定セットが得られる。【００１４】  カップの片側に寄せてセットするタイプのため袋２の口部形が大型にならず抽出むらが少ない。又折り目１１を平たく伸ばし左右に折り曲げ部１３を設けこの左右の折り曲げ部を機軸に右側壁５と左側壁６が前側壁３側に開く様にしてこの左右の折り曲げ部１３の間に後側壁４を設けるためセットする左右の外支持片９がカップ外壁をとらえ内壁支持部１５がカップ内壁をとらえて折り目１１を平たく伸ばし折り目１１を中心に後側壁４を形成して上方口１に於いて折り目１１が鋭角を生じさせない様にして上方口１を円形に近づけて抽出性を高めさらにこの後側壁４は下方に伸び出て内壁支持部１５を形成している事でカップの片側に寄せてセットしたコーヒーバッグがカップの外側にずれ落ちる事も防いでいる。【００１５】  後側壁４の下方に伸び出た内壁支持部１５でカップ内壁面をとらえ後側壁４の下部で左右に水平方向で外側に伸び出た短い外支持片９は下方に伸び出た先端部１９でカップ口部の外壁側をとらえた左右の凹部１８内にカップ口部が位置した時に左右に伸び出た外支持片９が短いためカップ口部の内壁面と側壁支持体１４との開に遊びなくカップ口部の外壁面を強くとらえ内壁支持部１５をカップ内壁面に引き付け固定する作用が生じ折り目１１を平たく伸ばし固定させ後側壁４を平たく形成すると同時にこの折り目１１は元に戻ろうとする復元力で内壁支持部１５���カップの内壁を強くとらえ左右の外支持片９とでカップ口部を外壁側と内壁側からとらえ強く固定セットする。【００１６】  左右に開いた外支持片８は前方にせり出した前側壁３が袋の前側口部形を形成するとともに縦巾の広い前側壁３であるその前方に大きくせり出し湾曲した時に平たく元に戻ろうとする大きな作用が生じこの力で外支持片８の先端部２１をカップ中心方向に引き寄せてカップの口部を左右外側から挟み込み遊びなくとらえ強くとらえる効果が生じるため強く固定したセットとなる。【００１７】  後側壁４の下部に内壁支持部１５と左右の外支持片９によりカップの口部の片側の縁をとらえカップ中央方向の左右口部に向け伸びた左右の外支持片８はカップ口径の大小によりその開き加減を変化させ同時に袋部を形成する側壁支持体１４の口部形も変化させて片側のカップの口部周囲と側壁支持体１４の間にスペースを生じさせずカップ口部のスペースを十分に活用する方式のためカップ口部の他方を大きく空ける事ができ後側壁４側と前側壁３側の各係止部もカップ口部と側壁支持体１４の間にスペースを生じさせない方式となる。
【発明を実施するための最良の形態】
【００１８】  以下、本発明の実施の形態を図１〜図６に基づいて説明する。【００１９】  そのため図に示す様に通水濾過性を有する柔軟なシートで袋２を構成し、これは上方口が開放した上方口１を有している、さらにこの上方口１の外壁周囲を支持体で構成したこの側壁支持体１４は上方口１から見て前側壁３側が広く後側壁４側が狭い側壁を配置しており、この前側壁３は縦巾が大く又前方にせり出して湾曲させるため横巾もカップ口径より広く設けているその間には右側壁５と左側壁６を配置しておりその下部にはそれぞれ中央下方に伸び出てカップ内壁をとらえる内支持片７を有しさらに下部から前側壁３側に伸び出て先端部が下方に伸びて構成した外支持片８を有しこれはカップ外に位置してこの外支持片８と内支持片７の間をカップの口部の縁を挟み込む凹部１０としているさらに後側壁４の下部を下方に伸ばしカップ内壁面をとらえる内壁支持部１５を設けておりさらにこの後側壁４の下部から左右水平外側方向に伸び出た短い外支持片９を設けこの左右の先端部１９との間をカップの口部の縁を挟み込む凹部１８としているこの後側壁４は左右に位置する右側壁５と左側壁６の境に縦方向に伸びた折り曲げ部１３を各有しておりさらに後側壁４の中央に縦方向に伸びた側壁支持体１４の折り目１１が位置しこの折り目１１から側壁支持体１４は左右から袋２を挟み込み前側壁３の中央部の合わせ目１２に左右から達して側壁支持体１４は袋２の上方口１側の外壁周囲で一体になり口部周囲を構成している。【００２０】  側壁支持体１４は厚紙等の材料に防水加工をして使用し構成しており、折り目１１から前方に折り曲げ中に袋２を位置させて合わせ目１２で一体の筒型を形成し袋２と側壁支持体１４は袋２の上方口１側で外壁周囲で一体化をしている。【００２１】  側壁支持体１４の後側壁４は上方口１上に於いて巾が狭く左右に配置した右側壁５と左側壁６はカップ中央側に向け大きく開き位置しておりこの下部に設けた左右の外支持片８は後側壁４の左右の折り曲げ部１３から各前側壁３側の前方側に直線状に伸び出てカップ中央側の左右の口部をとらえており、この時前側壁３はカップ口径の最大巾より長いため前方側に大きくせり出し湾曲しており、上方口１の前方側の袋２口部形を形成するとともに前側壁３は縦方向にも大きな巾を有した大型の前側壁３であるため前方に湾曲した形状から元に戻ろうとする作用が生じ左右の外支持片８をカップ中央方向に引き寄せる力を働かせて左右の外支持片８がカップの口部を左右から挟み込み外支持片８とカップ口部とが固定したセットとなる。【００２２】  側壁支持体１４の後側壁４が巾狭く前側壁３側が巾広く右側壁５と左側壁６を左右に配置して構成した側壁支持体１４を後側壁４側をカップ口部の縁に寄せ前側壁３側をカップ中央側に向けカップ口部の片側に寄せセットした時に側壁支持体１４内の袋２の重心は上方口１上に於いて前側壁３側にあるため側壁支持体１４全体がカップ中央側に転倒しやすくなる事を前側壁３側に開いて構えた右側壁５と左側壁６の下部の前側壁３側に設けた左右の外支持片８をカップにセットした時に前側壁３の前方に大きく伸び出て支えるため右側壁５と左側壁６の壁面に添って前側壁３の前方側に大きく伸��出た係止アーム２３を設けその先端に外支持片８を設けカップの口部をとらえ側壁支持体１４の前側壁３側へ転倒する事を防ぎ安定させている。【００２３】  側壁支持体１４の後側壁４は下部に配置した中央部の内壁支持部１５がカップ内壁をとらえた左右の凹部１８にカップ口部を挟み込み左右水平外方向に伸び出た左右の外支持片９の先端部１９がカップ外壁をとらえ中央の折り目１１を平たく伸ばしカップの内壁面と後側壁４との間にスペースを生じない状態でセットされているこの時に右側壁５と左側壁６は折り曲げ部１３を機軸にカップ中央側に大きく開き構えており右側壁５と左側壁６の下部から前方に伸び出た左右の外支持片８はカップの左右でカップ口部をそれぞれとらえて右側壁５と左側壁６の下方に伸び出た内支持片７はカップ内壁面をとらえているこの時に右側壁５と左側壁６と後側壁４の３辺はカップ口部の内壁面との間にスペースを生じさせておらずカップ口部の片側の口部形にフィットさせる事でカップ口部上に於いて前側壁３の前方を広く空けカップ内の湯面を見やすくしている。【００２４】  従来は袋部の支持体から水平外方向に伸び出てカップ口部と接する係止部先端側の支持点までの距離が長い事で安定させていたが、本発明では袋２の上方口１を形成しながらカップ上に袋２を支持する側壁支持体１４をカップの片側に寄せた位置でセットする時に寄せた側の側壁支持体１４とカップ口部間の距離が小さく又は側壁支持体１４とカップ内壁と接しており、セットした時にカップ内壁側を内壁支持部１５でとらえカップの外壁側を左右に設けた外支持片９でとらえカップ口部を挟み込み折り目１１や折り曲げ部１３などの復元力などの弾力により強く固定セットしカップ上から外に側壁支持体１４自体が前後左右に動きずれ出る事を防ぎ、さらに外支持片９の先端部１９を下方に長く伸ばしカップ外壁を下方部まで長く支える事でもカップ外方向への転倒を防止しセットの安定性を高めている。【００２５】  カップ口径の大小によりセットした時に左右に大きく開いた各外支持片８の開き加減が変化し同時に右側壁５と左側壁６のカップ中央側の開き巾も変化するためこの開き巾の変化に対してカップ口径の最大巾より長い巾を有して前方側に大きくせり出して構成している前側壁３がその形状を変化させてせり出し量を変える事で右側壁５と左側壁６の開く角度変化に対応し上方口１の形状をカップ口部の形状に即応しながら形状を変化させて左右の外支持片８の開き巾を変えている。【００２６】  右側壁５と左側壁６の下部で下方に伸び出て形成した内支持片７はカップ内壁面をとらえセットした時に湾曲して前方にせり出した前側壁３が平たく元に戻ろうとする作用で上方口１の中心方向に右側壁５と左側壁６の上端側が内側に向く事を下部の内支持片７が支えるとともに前側壁３側の前方に伸び出てた左右の外支持片８の先端部２１がセットした時にカップの外方向に向くことも防いでおり、又コーヒーバッグ全体がカップ外方向にずれる事を防いでいる。さらに左右の凹部１０内にカップの口部が入る時、内支持片７は下辺側が凹部１０側に斜めに傾き上がった傾斜部２２を設けておりセットする時にカップ口部の縁をこの傾斜部２２がとらえ凹部１０に誘導しセットしやすくしている。【００２７】  カップにセットした時に右側壁５を左側壁６は前側壁３側に開き構えるため側壁支持体１４の折り目１１側が上方口１上に於いて鋭角になるため折り目１１を中心に後側壁４を設けて防いでいるこれはカップにセットした時に後側壁４の下方に伸び出た内壁支持部１５がカップ内壁面をとらえ後側壁４の下部で左右水平外方向に短く伸び出た外支持片９がカップ外壁をとらえ左右から後側壁４を下部で開き平たく固定する事で形成している又この内壁支持部１５はカップ後方外側にコーヒーバッグがずれる事も防いでいる。【００２８】  第２実施例として図７と図８に示すように右側壁２６と左側壁２７を左右に構えて後側壁２５側が巾狭く前側壁２４側が巾広く構成した側壁支持体３４であり右側壁２６と左側壁２７の下部には下方に伸び出た内支持片３５を有し前側壁２４側に水平に長く伸び出た係止アーム３６を有しその先端は下方に伸びて前支持片２９を構成しさらに後側壁２５側にも水平に短く伸び出た係止アーム３７を設けており先端が下方に伸びて後支持片２８としている後側壁２５の中央に縦方向に伸びた折り目３１を有しこの後側壁２５の下部には下方に伸び出た内壁支持部３３を有しさらに右側壁２６と左側壁２７との各間にはそれぞれ縦方向に伸びた折り曲げ部３２を左右に設けている。【００２９】  さらに図９に示すように前支持片２９と後支持片２８を連結帯３０で一体化するとカップ１７の外壁面を連結帯３０が強くとらえ前支持片２９や後支持片２８がカップ１７の外方向に折れ上がる事を防ぎ強いセット性が生じる、またカップにセットする時に左右に大きく開き構えた左右の前支持片２９間にカップ口部を外側から挟み込みさらにカップ中央方向に押し込むと左右の連結帯３０がカップ口部の外壁をたどり狭く構えた左右の後支持片２９をカップの口部外側に開き誘導するためセットしやすくなる。【００３０】  本発明は以上の構成でこれを使用する時は袋２内にコーヒー粉を充填して上方口１を仮密閉した上方口１を開き前側壁３側の合わせ目１２と後側壁４側の折り目１１を上方口１の中心方向に押し込み前側壁３を湾曲させ折り曲げ部１３を折り曲げて上方口１を五角形型に形成し後側壁４の下方に伸び出た内壁支持部１５をカップ内に位置させ各外支持片８と９をカップ外に位置させ凹部１０と１８内にカップの口部を位置してセットする袋２内にお湯を注ぎ入れ使用する。
【図面の簡単な説明】
【００３１】
【図１】  本発明の使用状態を示す斜視図
【図２】  本発明の側面図
【図３】  本発明の上面図
【図４】  本発明の上面図
【図５】  本発明の背面図
【図６】  本発明のセット状態の背面図
【図７】  第２実施例の側面図
【図８】  第２実施例の使用状態を示す斜視図
【図９】  第２実施例のセット状態の斜視図
【符号の説明】
【００３２】  １．上方口
２．袋
３．前側壁
４．後側壁
５．右側壁
６．左側壁
７．内支持片
８．外支持片
９．外支持片
１０．凹部
１１．折り目
１２．合わせ目
１３．折り曲げ部
１４．側壁支持体
１５．内壁支持部
１６．フィルター
１７．カップ
１８．凹部
１９．先端部
２０．上方口
２１．先端部
２２．傾斜部
２３．袋
２４．側壁
２５．後側壁
２６．右側壁
２７．左側壁
２８．後支持片
２９．前支持片
３０．連結帯
３１．折り目
３２．折り曲げ部
３３．内壁支持部
３４．側壁支持体
３５．内支持片
３６．係止アーム
３７．係止アーム
３８．合わせ目
【図１】
2006015105.tif 000003
【図２】
2006015105.tif 000004
【図３】
2006015105.tif 000005
【図４】
2006015105.tif 000006
【図５】
2006015105.tif 000007
【図６】
2006015105.tif 000008
【図７】
2006015105.tif 000009
【図８】
2006015105.tif 000010
【図９】
2006015105.tif 000011